(57)【要約】【課題】  液晶表示パネルの所望の表示領域が得られる表示装置を提供する。【解決手段】  発光素子２０は、液晶表示パネル１０を照明する照明光を発する。弾性導電部材３０は、液晶表示パネル１０の端子部と電気的に接続される。導光部材４０は、照明光を液晶表示パネル１０に導く。導光部材４０は、弾性導電部材３０を屈曲状態で保持する貫通孔４１を有する。発光素子２０は、サイドビュー型の発光ダイオードである。発光素子２０は、導光部材４０は照明光を反射させる反射面４３ａ，４４を有する。導光部材４０の貫通孔４１は、円弧状である。【選択図】  図１
2013235168.tif 000002
【特許請求の範囲】
【請求項１】
液晶表示パネルと、前記液晶表示パネルを照明する照明光を発する発光素子と、前記液晶表示パネルの端子部と電気的に接続された弾性導電部材と、前記照明光を前記液晶表示パネルに導く導光部材と、を備え、
前記導光部材は、前記弾性導電部材を屈曲状態で保持する貫通孔を有することを特徴とする表示装置。
【請求項２】
前記発光素子はサイドビュー型の発光ダイオードであると共に、前記導光部材は前記照明光を反射させる反射面を有することを特徴とする請求項１に記載の表示装置。
【請求項３】
前記導光部材の前記貫通孔は、円弧状であることを特徴とする請求項１に記載の表示装置。
【発明の詳細な説明】
【技術分野】
【０００１】
本発明は、矩形以外の形状である液晶表示パネルを備えた表示装置に関するものである。
【背景技術】
【０００２】
従来より、液晶表示パネルを備えた表示装置が種々提案されており、例えば特許文献１に開示されている。斯かる表示装置は、指針式計器の指針上に液晶表示パネルを配置したものであり、この液晶表示パネルは専用のケース体を介してハウジングに固定されている。液晶表示パネルは、接続部材（可撓性配線部材またはリードピン）を用いて、回路基板に電気的に接続されている。
【先行技術文献】
【特許文献】
【０００３】
【特許文献１】特開２００６−１３３４１５号公報
【発明の概要】
【発明が解決しようとする課題】
【０００４】
しかしながら、接続部材を導通させる液晶表示パネルの端子部が直線状であるため、液晶表示パネルの表示領域を矩形以外の所定形状（例えば円形）にする場合、液晶表示パネルに直線状部分が必要になり、表示装置の外観も円形にすることは困難であるという問題を有していた。
本発明は、この問題に鑑みなされたものであり、液晶表示パネルの所望の表示領域が得られる表示装置を提供するものである。
【課題を解決するための手段】
【０００５】
本発明は、請求項１に記載したように、液晶表示パネル１０と、前記液晶表示パネル１０を照明する照明光を発する発光素子２０と、前記液晶表示パネル１０の端子部と電気的に接続された弾性導電部材３０と、前記照明光を前記液晶表示パネル１０に導く導光部材４０と、を備え、前記導光部材４０は、前記弾性導電部材３０を屈曲状態で保持する貫通孔４１を有するものである。
【０００６】
また、本発明は、請求項２に記載したように、前記発光素子２０はサイドビュー型の発光ダイオードであると共に、前記導光部材４０は前記照明光を反射させる反射面４３ａ，４４を有するものである。
【０００７】
また、本発明は、請求項３に記載したように、前記導光部材４０の前記貫通孔４１は、円弧状であるものである。
【発明の効果】
【０００８】
導光部材に弾性導電部材を屈曲状態で保持することにより、液晶表示パネルの所望の表示領域が得ることが可能になる。
【図面の簡単な説明】
【０００９】
【図１】本発明の実施形態を示す正面図。
【図２】同上実施形態を示す断面図。
【図３】同上実施形態を示す断面図。
【図４】同上実施形態を示す導光部材の正面図。
【発明を実施するための形態】
【００１０】
以下、添付図面に基づいて、本発明の一実施形態を説明する。液晶表示装置は、液晶表示パネル１０，発光ダイオード（発光素子）２０，導電ゴム（弾性導電部材）３０，導光部材４０，回路基板５０等を備えており、正面視で円形になっている。
【００１１】
液晶表示パネル１０は、透明電極が形成された一対の透光性基板１１ａ，１１ｂに液晶を封入した液晶セル１１の前後両面に偏光板（図示しない）を貼着したものである。液晶表示パネル１０は、正面視で円形になっている。液晶表示パネル１０は、複数の表示セグメント１２を有しており、これらの表示セグメント１２は日字形に配置されている。
【００１２】
発光ダイオード２０は、サイドビュー型ＬＥＤ（Light Emitting Diode）からなるものであり、白色の照明光を発する。発光ダイオード２０は、回路基板５０の後面に搭載されている。発光ダイオード２０は、導光部材４０の受光部４３に照明光を照射する。発光ダイオード２０が発する照明光の光軸は、回路基板５０と平行になっている。
【００１３】
導電ゴム３０は、導電部と絶縁部とが交互に積層されてなるものであり、液晶表示パネル１０と回路基板５０とを電気的に接続する。導電ゴム３０の一端は液晶表示パネル１０の端子部に導通され、導電ゴム３０の他端は回路基板５０の配線パターンに導通されている。導電ゴム３０は、導光部材４０に保持される前では平板形状になっているが、導光部材４０の貫通孔４１に保持されて、正面視で円弧状に屈曲状態になっている。
【００１４】
導光部材４０は、透光性樹脂からなるものであり、発光ダイオード２０が発した照明光を液晶表示パネル１０の後面に導く。導光部材４０は、発光ダイオード２０が発した照明光を受光する受光部４３を有している。導光部材４０の受光部４３は、発光ダイオード２０が発した照明光を液晶表示パネル１０に垂直な方向に反射させる反射面４３ａを有している。
【００１５】
受光部４３の反射面４３ａで反射された照明光は、反射面４４で液晶表示パネル１０と平行な方向に更に反射される。導光部材４０は、正面視で円形になっており、液晶表示パネル１０と略同じ大きさである。導光部材４０は円弧状の貫通孔４１を有しており、この貫通孔４１に導電ゴム３０が嵌入されている。
【００１６】
回路基板５０は、ガラスエポキシ樹脂からなる基材に銅箔からなる配線パターンを形成した硬質プリント配線板からなるものである。回路基板５０には、液晶表示パネル１０を制御する制御回路（図示しない）が搭載されている。回路基板５０は、液晶表示パネル１０と平行に配置されている。
【００１７】
ケース体６０は、不透明な樹脂からなるものであり、液晶表示パネル１０の表示セグメント１２が視認できるように、円形の開口部６１を有している。ケース体６０は、後面カバー７０を係止する係止部６２を有している。後面カバー７０は、係止部６２によってケース体６０に係止される。
【００１８】
図４は、導光部材４０の正面図である。導光部材４０には、左右対称の２個の貫通孔４１が形成されている。導光部材４０の貫通孔４１は、正面視で円弧状になっており、導電ゴム３０は、正面視でケース体６０の開口部６１に沿うように円弧状に屈曲して、導光部材４０の貫通孔４１に保持される。導光部材４０の貫通孔４１は、導電ゴム３０が当接する複数の突起部４２を有している。
【００１９】
本実施形態によれば、導光部材４０に導電ゴム３０を円弧状に保持することができ、所望の形状の表示装置を得ることが可能になる。なお、本発明は、本実施形態に限定されるものではなく、種々の変形が可能である。例えば、本実施形態では、液晶表示パネル１０は正面視で円形であったが、正面視で半円形であっても良い。また、本実施形態では、導電ゴム３０は、正面視で円弧状に屈曲状態になっているが、正面視で非直線状であれば良い。
【符号の説明】
【００２０】
１０    液晶表示パネル
２０    発光ダイオード（発光素子）
３０    導電ゴム（弾性導電部材）
４０    導光部材
４１    貫通孔
４３ａ  反射面
４４    反射面
５０    回路基板
【図１】
2013235168.tif 000003
【図２】
2013235168.tif 000004
【図３】
2013235168.tif 000005
【図４】
2013235168.tif 000006